(57)【要約】【課題】原稿読み取り領域に設けられる案内シートに取付位置ずれや、或いは取付部位から外れてしまうといった問題が生じることを確実に防止する【解決手段】原稿読み取り領域において原稿を下流側へ案内する案内シート２８は、窓穴２８ｂの窓穴縁部２８ｃが、第１爪部２６ｅと係合した状態となり、原稿搬送方向に移動しない様拘束された状態となる。この状態から、案内シート２８は更にシート保持部材３０によって上流側フレーム２６ｍとの間で挟まれ、保持される。【選択図】図５
2012209642.tif 000002
【特許請求の範囲】
【請求項１】
原稿が搬送される原稿搬送経路の途中に設けられた、原稿を読み取る読み取り領域と、
前記読み取り領域の周囲を形成する、前記読み取り領域の下流側に位置する下流側フレーム及び前記読み取り領域の上流側に位置る上流側フレームと、
原稿が前記下流側フレームを乗り越えて下流側へと進む様に原稿を案内する案内シートと、
前記案内シートの原稿搬送方向への移動を規制した状態で当該案内シートを前記上流側フレームに対して固定するシート固定手段と、
を備えた画像読取装置。
【請求項２】
請求項１に記載の画像読取装置において、前記シート固定手段は、前記上流側フレームに設けられた第１の爪部と、
前記案内シートに形成された窓穴と、を有し、
前記窓穴に前記第１の爪部が入り込んだ状態で前記案内シートを原稿搬送方向と交差する方向にスライドさせることにより、前記窓穴の縁部と前記第１の爪部とが係合して前記案内シートが前記上流側フレームに対して固定された状態となる、
ことを特徴とする画像読取装置。
【請求項３】
請求項１または２に記載の画像読取装置において、前記シート固定手段は、前記上流側フレームとの間で前記案内シートを挟み込むことにより前記案内シートを保持する保持部材を備えている、
ことを特徴とする画像読取装置。
【請求項４】
請求項３に記載の画像読取装置において、前記保持部材の原稿搬送方向への移動を規制した状態で当該保持部材を前記上流側フレームに対して固定する保持部材固定手段を備えている、
ことを特徴とする画像読取装置。
【請求項５】
請求項４に記載の画像読取装置において、前記保持部材固定手段は、前記上流側フレームに形成された第２の爪部と、
前記保持部材を原稿搬送方向と交差する方向にスライドさせることにより前記第２の爪部と係合する、前記保持部材に形成された第３の爪部と、を備えて構成されている、
ことを特徴とする画像読取装置。
【請求項６】
請求項５に記載の画像読取装置において、前記上流側フレームは、前記読み取り領域における読み取り面に向かって下がる傾斜面が形成されているとともに、前記第２の爪部が、前記傾斜面に形成されている、
ことを特徴とする画像読取装置。
【請求項７】
請求項５または６に記載の画像読取装置において、前記保持部材固定手段は、前記保持部材が入り込む凹部を備えて構成され、
前記保持部材が弾性変形を経て前記凹部に入り込んだ状態において、当該保持部材が原稿搬送方向と交差する方向へ移動しない様拘束された状態となる、
ことを特徴とする画像読取装置。
【請求項８】
請求項７に記載の画像読取装置において、前記読み取り領域へと原稿を搬送する原稿搬送装置が、前記画像読取装置に対してヒンジを介して連結されることで開閉可能に設けられ、
前記保持部材は、両端のうち一端側を弾性変形させながらスライドさせることにより前記凹部から取り外し可能であるとともに、前記一端側が、前記ヒンジが設けられた側に位置する、
ことを特徴とする画像読取装置。
【請求項９】
媒体に記録を行う記録部と、
前記記録部の上部に設けられた、請求項１から８のいずれか１項に記載の画像読取装置と、
を備えた記録装置。
【発明の詳細な説明】
【技術分野】
【０００１】
本発明は、画像読取装置並びに当該画像読取装置を備えた記録装置に関する。
【背景技術】
【０００２】
原稿を読み取る画像読取装置（以下「スキャナ」と言う）においては、原稿を自動搬送する原稿搬送装置（オートシートフィーダーなどと呼ばれる）が設けられる場合がある。そして例えば、フラットベッド型スキャナの場合、原稿台とは別に原稿搬送装置を利用した読み取りを行う為の読み取り領域が確保されており、この読み取り領域を原稿が通過することによって原稿読み取りが行われる様になっている。そして上記の原稿読み取り領域の上流側と下流側には、原稿を読み取り領域底面に案内するガイドが設けられている（特許文献１）。
【先行技術文献】
【特許文献】
【０００３】
【特許文献１】特開２００７−２５２６４号公報
【発明の概要】
【発明が解決しようとする課題】
【０００４】
原稿搬送装置を利用した読み取りを行う為の読み取り領域底面は、原稿台を構成する原稿台ガラスとは別のガラスによって構成される場合もあるが、この場合コストアップを招く為、原稿台を構成する原稿台ガラスの一部を利用して構成することが好ましい。しかしながらこの場合、読み取り領域の下流側に設けられた、読み取り領域の周囲を形成するフレーム部材と、原稿台ガラスとの間に原稿が入り込んでしまう虞がある。そこでこの様な問題を解消する為に、原稿が下流側フレームを乗り越える様に案内する透明なシート（案内シート）を設ける場合もある。
【０００５】
そして原稿はこの案内シートに接しながら送られる為、案内シートには、原稿から搬送方向の力が付与されることとなる。この搬送方向の力によって、案内シートに取付位置ずれや、或いは取付部位から外れてしまうといった問題が生じる虞があるが、従来の画像読取装置における案内シートの取付構造は、必ずしもこの点が充分に考慮されているとは言えなかった。
【０００６】
そこで本発明はこの様な状況に鑑みなされたものであり、その目的は、案内シートに取付位置ずれや、或いは取付部位から外れてしまうといった問題が生じることを確実に防止することにある。
【課題を解決するための手段】
【０００７】
上記課題を解決する為の、本発明の第１の態様に係る画像読取装置は、原稿が搬送される原稿搬送経路の途中に設けられた、原稿を読み取る読み取り領域と、前記読み取り領域の周囲を形成する、前記読み取り領域の下流側に位置する下流側フレーム及び前記読み取り領域の上流側に位置る上流側フレームと、原稿が前記読み取り領域から前記下流側フレームを乗り越えて下流側へと進む様に原稿を案内する案内シートと、前記案内シートの原稿搬送方向への移動を規制した状態で当該案内シートを前記上流側フレームに対して固定するシート固定手段と、を備えていることを特徴とする。
【０００８】
本態様によれば、前記案内シートの原稿搬送方向への移動を規制した状態で当該案内シートを前記上流側フレームに対して固定するシート固定手段を備えているので、原稿搬送時に前記案内シートが搬送方向の力を受けても、これに対抗することができ、前記案内シートに取付位置ずれや、或いは取付部位から外れてしまうといった問題が生じることを確実に防止することができる。
【０００９】
本発明の第２の態様は、第１の態様において、前記シート固定手段は、前記上流側フレームに設けられた第１の爪部と、前記案内シートに形成された窓穴と、を有し、前記窓穴に前記第１の爪部が入り込んだ状態で前記案内シートを原稿搬送方向と交差する方向にスライドさせることにより、前記窓穴の縁部と前記第１の爪部とが係合して前記案内シートが前記上流側フレームに対して固定された状態となることを特徴とする。
【００１０】
本態様によれば、前記上流側フレームに設けられた第１の爪部と、前記案内シートに形成された窓穴と、によって前記シート固定手段が構成されていることから、前記シート固定手段を構造簡単にして低コストに構成することができる。
【００１１】
本発明の第３の態様は、第１のまたは第２の態様において、前記シート固定手段は、前記上流側フレームとの間で前記案内シートを挟み込むことにより前記案内シートを保持する保持部材を備えていることを特徴とする。
【００１２】
本態様によれば、前記シート固定手段は、前記上流側フレームとの間で前記案内シートを挟み込むことにより前記案内シートを保持する保持部材を備えているので、前記案内シートをより確実に固定することができる。
【００１３】
本発明の第４の態様は、第３の態様において、前記保持部材の原稿搬送方向への移動を規制した状態で当該保持部材を前記上流側フレームに対して固定する保持部材固定手段を備えていることを特徴とする。
【００１４】
本態様によれば、前記保持部材の原稿搬送方向への移動を規制した状態で当該保持部材を前記上流側フレームに対して固定する保持部材固定手段を備えているので、前記保持部材が前記案内シートに対して原稿搬送方向への力を付与することがなく、前記案内シートの固定状態を適切に維持することが出来る。
【００１５】
本発明の第５の態様は、第４の態様において、前記保持部材固定手段は、前記上流側フレームに形成された第２の爪部と、前記保持部材を原稿搬送方向と交差する方向にスライドさせることにより前記第２の爪部と係合する、前記保持部材に形成された第３の爪部と、を備えて構成されていることを特徴とする。
【００１６】
本態様によれば、前記保持部材固定手段は、前記上流側フレームに形成された第２の爪部と、前記保持部材に形成された第３の爪部と、を備えて構成されているので、前記保持部材固定手段を構造簡単にして低コストに構成することができる。
【００１７】
本発明の第６の態様は、第５の態様求項５に記載の画像読取装置において、前記上流側フレームは、前記読み取り領域における読み取り面に向かって下がる傾斜面が形成されているとともに、前記第１係止爪が、前記傾斜面に形成されていることを特徴とする。
【００１８】
案内シートは、原稿読み取り手段と原稿との間の距離を一定に保つべく、読み取り領域の読み取り面に密着した状態が維持されることが好ましい。このため、案内シートを固定する上流側フレームにおける下流側は、原稿読み取り面に向かって下がる傾斜面で形成されていることが好ましい。これにより、案内シートは読み取り面に対して押し付けられる。
【００１９】
一方、上流側フレームは読み取り領域の周囲を形成する部材であることから、原稿搬送方向の寸法が長いと、装置全体の大型化を招くこととなる。しかしながら本態様によれば、上記第１係合爪が上記傾斜面に形成されていることから、上流側フレームの原稿搬送方向長さが長くなることを防止でき、ひいては装置の大型化を防止することができる。
【００２０】
本発明の第７の態様は、第５のまたは第６の態様において、前記保持部材固定手段は、前記保持部材が入り込む凹部を備えて構成され、前記保持部材が弾性変形を経て前記凹部に入り込んだ状態において、当該保持部材が原稿搬送方向と交差する方向へ移動しない様拘束された状態となることを特徴とする。
【００２１】
本態様によれば、前記保持部材が、弾性変形を経て凹部に入り込んだ状態において、当該保持部材が原稿搬送方向と交差する方向に移動しない様拘束された状態となるので、前記保持部材を一旦固定した後は、当該保持部材を容易にスライドさせること、即ち取り外すことができない状態となり、従ってユーザーにより前記保持部材が不用意に取り外されることを防止できる。
【００２２】
本発明の第８の態様は、第７の態様において、前記読み取り領域へと原稿を搬送する原稿搬送装置が、前記画像読取装置に対してヒンジを介して連結されることで開閉可能に設けられ、前記保持部材は、両端のうち一端側を弾性変形させながらスライドさせることにより前記凹部から取り外し可能であるとともに、前記一端側が、前記ヒンジが設けられた側に位置することを特徴とする。
【００２３】
本態様によれば、前記保持部材は、両端のうち一端側を弾性変形させながらスライドさせることにより前記凹部から取り外し可能であるが、前記一端側が、前記ヒンジが設けられた側、即ちユーザーにとって作業の行い難い側に設けられていることから、ユーザーにより前記保持部材が不用意に取り外されることをより確実に防止できる。
【００２４】
本発明の第９の態様は、媒体に記録を行う記録部と、前記記録部の上部に設けられた、第１から第８の態様のいずれかに係る画像読取装置と、を備えたことを特徴とする。本態様によれば、記録装置において、上述した第１から第８の態様と同様な作用効果を得ることができる。
【図面の簡単な説明】
【００２５】
【図１】本発明に係る記録装置上部の側断面図。
【図２】本発明に係るスキャナ部の平面図。
【図３】本発明に係るスキャナ部から案内シート及びシート保持部材を取り外した状態の部分拡大図。
【図４】案内シート、及び枠部材において案内シートを取り付ける部位の部分拡大図。
【図５】シート保持部材、及び枠部材においてシート保持部材を取り付ける部位の部分拡大図。
【図６】（Ａ）は枠部材にシート保持部材を取り付ける途中の状態を示す図、（Ｂ）は（Ａ）のＢ−Ｂ断面図。
【図７】（Ａ）は枠部材にシート保持部材を取り付けた状態を示す図、（Ｂ）は（Ａ）のＢ−Ｂ断面図。
【図８】シート保持部材に形成された第３爪部を下側から見た斜視図。
【図９】図７のＡ−Ａ断面図。
【発明を実施するための形態】
【００２６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２７】
図１は本発明に係る記録装置の一実施形態であるインクジェットプリンター５０の上部の一部分を切断した側断面図であり、主として自動原稿搬送装置１とスキャナ部２との位置関係を示すものである。また、図２は本発明に係る画像読取装置の一実施形態であるスキャナ部２０の平面図、図３はスキャナ部２０から案内シート２８及びシート保持部材３０を取り外した状態の部分拡大図（平面図）、図４は案内シート２８、及び枠部材２６において案内シート２８を取り付ける部位の部分拡大図（平面図）、図５はシート保持部材３０、及び枠部材２６においてシート保持部材３０を取り付ける部位の部分拡大図（平面図）である。
【００２８】
更に、図６（Ａ）は枠部材２６にシート保持部材３０を取り付ける途中の状態を示す図、図６（Ｂ）は図６（Ａ）のＢ−Ｂ断面図、図７（Ａ）は枠部材２６にシート保持部材３０を取り付けた状態を示す図、図７（Ｂ）は図７（Ａ）のＢ−Ｂ断面図、図８はシート保持部材３０に形成された第３爪部３０ｂを下側から見た斜視図、図９は図７のＡ−Ａ断面図である。
【００２９】
以下、図１を参照しながらインクジェットプリンター５０上部の構成について概説する。図１において符号４０は用紙に記録を行う記録部を、符号２０は記録部４０の上部に設けられるスキャナ部を示しており、符号１はスキャナ部２０の上部に設けられる自動原稿搬送装置（オートシートフィーダー）を示している。インクジェットプリンター５０は、これら記録部４０、スキャナ部２０、自動原稿搬送装置１、のこれらにより構成される。
【００３０】
自動原稿搬送装置１において、符号２は原稿支持トレイを示しており、この原稿支持トレイ２上に媒体としての原稿が支持される様になっている。尚、図１において符号Ｐは、自動原稿搬送装置１内を搬送される原稿の通過軌跡（即ち、原稿搬送経路）を示している。
【００３１】
原稿支持トレイ２の先端側には原稿を送り出す給送ローラー３が設けられ、給送ローラー３の下流側には原稿を分離する分離ローラー５と分離パッド４とが対向配置されている。送り出された原稿は、中間送りローラー６と従動ローラー７とによって更に下流側に送られ、反転ローラー１０、従動ローラー１１、を経由して、スキャナ部２０を構成する原稿台ガラス２１の上面に到達する。
【００３２】
符号Ｙ１はスキャナ部２０による原稿読み取り位置を示しており、この読み取り位置Ｙ１に、読み取り手段としての読み取りセンサーを備えたセンサーキャリッジ２３が停止した状態に置かれる。
【００３３】
即ち、このセンサーキャリッジ２３は、自動原稿搬送装置１を利用しない読み取り時には主走査方向（図１の左右方向）に移動することで原稿台ガラス２１に載置された原稿をスキャニングするが、自動原稿搬送装置１を利用した読み取り時には、読み取り位置Ｙ１に停止し、原稿側が動くことでスキャニングが行われる。そして、スキャニングの行われた原稿は、排出駆動ローラー１３と従動ローラー１４とによって図示を省略する排紙受けトレイに向けて排出される。
【００３４】
続いてスキャナ部２０の構成について更に説明する。スキャナ部２０は、センサーキャリッジ２３を支持するとともにスキャナ部２０の基体を構成するハウジング部材である薄箱状のベースフレーム２５に、各部材が組み付けられて構成されている。尚、ベースフレーム２５は本実施形態において樹脂成形により形成されており、図２において符号２５ａで示す、センサーキャリッジ２３を走査方向に案内するガイドレールも、ベースフレーム２５に一体的に形成されている。
【００３５】
原稿が載置される原稿載置面２０ａは、上述した様に原稿台ガラス２１の上面で構成されており、原稿載置面２０ａの周囲（四辺）が、樹脂成形により形成された枠部材２６の大開口部２６ａによって構成されている。枠部材２６には、３つのヒンジ挿入穴２６ｋが形成されており、このヒンジ挿入穴２６ｋに、自動原稿搬送装置１に設けられたヒンジ（不図示）が挿入される様になっている。
【００３６】
スキャナ部２０においてセンサーキャリッジ２３の読み取り基準位置は、装置後方左側（図２において符号Ｑで示す位置）にあり、従って原稿読み取り時には原稿角部を読み取り基準位置に合わせることで、適切な読み取り結果が得られる様になっている。自動原稿搬送装置１を介して原稿を読み取る際の読み取り領域Ｓ（読み取り位置Ｙ１）は、枠部材２６に形成された小開口部２６ｂ内側に設定されており、この小開口部２６ｂには透明な案内シート２８が配置されている。
【００３７】
小開口部２６ｂは、図１にも示す様にその上流側が上流側フレーム２６ｍで形成され、下流側が下流側フレーム２６ｎで形成されており、上流側フレーム２６ｍに対して案内シート２８が取り付けられている。尚、上流側フレーム２６ｍ、下流側フレーム２６ｎは、本実施形態では枠部材２６の一部を構成している。
【００３８】
下流側フレーム２６ｎには、原稿を下流側へ案内する案内斜面２６ｃが形成されており、案内シート２８は、上流側フレーム２６ｍに取り付けられた状態において、その下流側が案内斜面２６ｃの途中まで延びている。これにより、読み取り位置Ｙ１から下流側に進む原稿の先端が、原稿台ガラス２１と枠部材２６（下流側フレーム２６ｎ）との間に入り込むことが防止されている。尚、案内シート２８は本実施形態では透明な樹脂製シートにより形成されている。
【００３９】
案内シート２８は取り外し可能に構成されており、シート面に傷が付いた場合に交換できる様になっている。以下、案内シート２８の取付構造について更に詳説する。  
大略的には、案内シート２８は、シート固定手段２７（図５）により上流側フレーム２６ｍに対して原稿搬送方向への移動を規制された状態で固定されるとともに、更にシート保持部材３０によって上流側フレーム２６ｍとの間で挟まれ、保持される様になっている。
【００４０】
また、このシート保持部材３０が、保持部材固定手段２９（図７（Ａ）、図９）によって上流側フレーム２６ｍに対して固定されている。尚、本実施形態ではシート保持部材３０は樹脂成形により形成され、弾性変形が可能となっている。
【００４１】
図３、図４に示す様に、上流側フレーム２６ｍには、シート固定手段２７を構成する凹部２６ｄと第１爪部２６ｅとが、原稿幅方向（図３、図４の上下方向）に適宜の間隔を置いて複数（本実施形態では、３箇所）形成されている。また、保持部材固定手段２９を構成する凹部２６ｆと第２爪部２６ｇが、原稿幅方向（図３、図４の上下方向）に適宜の間隔を置いて複数（本実施形態では、３箇所）形成されている。
【００４２】
案内シート２８には、図４に示す様に原稿幅方向に沿って窓穴２８ａ、２８ｂが適宜の間隔を置いて交互に形成されている。尚、窓穴２８ａは、上流側フレーム２６ｍに形成された第２爪部２６ｇに対応する位置に形成され、窓穴２８ｂは、上流側フレーム２６ｍに形成された第１爪部２６ｅに対応する位置に形成されている。
【００４３】
以下、案内シート２８の取付手順に沿って更に具体的に説明する。案内シート２８を上流側フレーム２６ｍに固定する際には、先ず案内シート２８に形成された窓穴２８ａに、上流側フレーム２６ｍに形成された第２爪部２６ｇが入り込む様に、また窓穴２８ｂに、上流側フレーム２６ｍに形成された第１爪部２６ｅが入り込む様に、案内シート２８を取り付ける。そして案内シート２８を装置手前側（図４において下側）にスライドさせる。
【００４４】
これにより、図５に示す様に案内シート２８において窓穴２８ｂの窓穴縁部２８ｃが、第１爪部２６ｅと係合した状態となり、案内シート２８が原稿搬送方向（図４において右方向）に移動しない様拘束された状態となる。尚、窓穴２８ａは、原稿幅方向に長い形状を成しており、第２爪部２６ｇとの係わり合いはない。
【００４５】
次いで、シート保持部材３０を取り付ける際には、シート保持部材３０の下側に形成された第３爪部３０ｂ（図８も参照：第２爪部２６ｇに対応して形成されている）を、凹部２６ｆに位置決めする（図６（Ａ））。尚、符号３０ｃは第３爪部３０ｂが形成されている部分を示す目印であり、シート保持部材３０の取付作業者は、この目印３０ｃの部分を上方から押すことで第３爪部３０ｂを凹部２６ｆに入り込ませることができる。
【００４６】
ここで、枠部材２６には、シート保持部材３０の両端のうち、装置後方側の一端３０ａが入り込む凹部２６ｈが形成されている。しかしながら第３爪部３０ｂを凹部２６ｆに位置決めした状態では、一端３０ａは凹部２６ｈに入り込んでいない。従ってシート保持部材３０は、一端側３０ａの付近が弾性変形して図６（Ｂ）に示す様に枠部材２６の上面に乗り上げた状態となっている。
【００４７】
この状態から、シート保持部材３０を装置手前側（図６において下側）にスライドさせる。これにより、図７（Ａ）、（Ｂ）に示す様にシート保持部材３０の一端３０ａが凹部２６ｈに入り込むとともに、図９にも示す様に第２爪部２６ｇの下側に第３爪部３０ｂが入り込み、シート保持部材３０が固定される。即ち、凹部２６ｈ、第２爪部２６ｇ、第３爪部３０ｂ、のこれらが、シート保持部材３０を上流側フレーム２６ｍに対して固定する保持部材固定手段２９を構成する。
【００４８】
以上説明した様に、案内シート２８は、シート固定手段２７によって原稿搬送方向への移動を規制した状態で上流側フレーム２６ｍに対して固定されるので、原稿搬送時に案内シート２８が搬送方向の力を受けても、これに対抗することができ、案内シート２８に取付位置ずれや、或いは取付部位から外れてしまうといった問題が生じることを確実に防止することができる。
【００４９】
そしてシート固定手段２７は、上流側フレーム２６ｍに設けられた第１爪部２６ｅと、案内シート２８に形成された窓穴２８ｂと、で構成されていることから、シート固定手段２７を構造簡単にして低コストに構成することができる。
【００５０】
またシート固定手段２７は、上流側フレーム２６ｍとの間で案内シート２８を挟み込むことにより案内シート２８を保持するシート保持部材３０を備えているので、案内シート２８をより確実に固定することができる。
【００５１】
更に、シート保持部材３０の原稿搬送方向への移動を規制した状態で当該シート保持部材３０を上流側フレーム２６ｍに対して固定する保持部材固定手段２９を備えているので、シート保持部材３０が案内シート２８に対して原稿搬送方向への力を付与することがなく、案内シート２８の固定状態を適切に維持することが出来る。加えて保持部材固定手段２９は、上流側フレーム２６ｍに形成された第２爪部２６ｇと、シート保持部材３０に形成された第３爪部３０ｂと、を備えて構成されているので、保持部材固定手段２９を構造簡単にして低コストに構成することができる。
【００５２】
ところで案内シート２８は、センサーキャリッジ２３と原稿（原稿台ガラス２１の上面）との間の距離を一定に保つべく、読み取り領域Ｓの読み取り面（原稿台ガラス２１の上面）に密着した状態が維持されることが好ましい。このため、案内シート２８を固定する上流側フレーム２６ｍにおける下流側は、原稿読み取り面（原稿台ガラス２１の上面）に向かって下がる傾斜面２６ｊが形成されている（図４、図９等）。
【００５３】
一方、上流側フレーム２６ｍは読み取り領域Ｓの周囲を形成する部材であることから、原稿搬送方向の寸法が長いと、装置全体の大型化を招くこととなる。しかしながら、本実施形態においては第１係合爪２６ｅが傾斜面２６ｊに形成されていることから、上流側フレーム２６ｍの原稿搬送方向長さが長くなることを防止でき、ひいては装置の大型化を防止することができる。
【００５４】
更に、シート保持部材３０が、弾性変形を経て凹部２６ｈに入り込んだ状態において、シート保持部材３０が原稿搬送方向と交差する方向に移動しない様拘束された状態となるので、シート保持部材３０を一旦固定した後は、シート保持部材３０を容易にスライドさせること、即ち取り外すことができない状態となり、従ってユーザーによりシート保持部材３０が不用意に取り外されることを防止できる。
【００５５】
更に、シート保持部材３０は、両端のうち一端３０ａを弾性変形させながらスライドさせることにより凹部２６ｈから取り外し可能であるが、一端３０ａが、自動原稿搬送装置１をスキャナ部２０に対して連結するヒンジ（不図示）が設けられた側（図２、図７（Ａ）において上側）、つまり即ちユーザーにとって作業の行い難い側に設けられていることから、ユーザーによりシート保持部材３０が不用意に取り外されることをより確実に防止できる様になっている。
【符号の説明】
【００５６】
１  自動原稿搬送装置、２０  スキャナ部、２１  原稿台ガラス、２３  センサーキャリッジ、２５  ベースフレーム、２６  枠部材、２６ａ  大開口部、２６ｂ  小開口部、２６ｃ  案内斜面、２６ｄ  凹部、２６ｅ  第１爪部、２６ｆ  凹部、２６ｇ  第２爪部、２６ｈ  凹部、２６ｊ  傾斜面、２６ｋ  ヒンジ挿入穴、２６ｍ  上流側フレーム、２６ｎ  下流側フレーム、２７  シート固定手段、２８  案内シート、２８ａ  窓穴、２８ｂ  窓穴、２８ｃ  窓穴縁部、２９  保持部材固定手段、３０  シート保持部材、３０ａ  一端、３０ｂ  第３爪部、３０ｃ  目印、４０  記録部、５０  インクジェットプリンター、
Ｐ  原稿、Ｓ  読み取り領域、Ｙ１  読み取り位置
【図１】
2012209642.tif 000003
【図２】
2012209642.tif 000004
【図３】
2012209642.tif 000005
【図４】
2012209642.tif 000006
【図５】
2012209642.tif 000007
【図６】
2012209642.tif 000008
【図７】
2012209642.tif 000009
【図８】
2012209642.tif 000010
【図９】
2012209642.tif 000011